(57)【要約】【課題】ＳＤＨ網及びＩＰ網に伝送装置が接続された状態において、効率の良い且つ信頼性の高いＩＰパケット伝送が実現できる伝送装置及びＳＤＨ伝送路切替方法を提供する。【解決手段】  ＩＰルーティング・プロトコル・パケットに基づいてＳＤＨ伝送路の経路情報の更新をすべきか否かの判定をなすルーティング情報判定部と、当該経路情報の更新判定の情報、ＳＤＨフレーム処理の結果の情報、検出された伝送路故障情報及び判断された強制切替の情報に基づいて現用系と予備系のいずれかを選択することを表わす選択情報を生成する切替処理部と、を有すること。【選択図】図５
2010226582.tif 000002
【特許請求の範囲】
【請求項１】
現用系及び予備系からなるＳＤＨ伝送路を介して対向装置に接続され、ＩＰ伝送路を介してＩＰ装置に接続されるとともに、前記現用系と前記予備系との間の強制切替及び前記ＳＤＨ伝送路における伝送路故障情報を検出する制御装置に接続された伝送装置であって、
前記対向装置からＳＤＨフレームを受信してセクションオーバヘッド（ＳＯＨ）処理をなすフレーム処理部と、
前記ＳＤＨフレームからＩＰパケットを抽出して前記ＩＰ装置に送出するＩＰパケット抽出部と、
前記ＩＰ装置からＩＰパケットを受信してＳＤＨフレームに挿入するとともに、当該受信ＩＰパケットからＩＰルーティング・プロトコル・パケットを抽出するＩＰパケット挿入部と、
前記ＩＰルーティング・プロトコル・パケットに基づいて前記ＳＤＨ伝送路の経路情報の更新をすべきか否かの判定をなすルーティング情報判定部と、
前記強制切替の情報、前記伝送路故障情報、前記フレーム処理部のＳＯＨ処理の情報及び前記経路情報の更新判定の情報に基づいて前記現用系及び前記予備系のいずれかを選択することを表わす選択情報を生成する切替処理部と、
前記ＩＰパケット挿入部から供給される前記ＳＤＨフレームに前記選択情報を挿入する選択情報挿入部と、
当該ＳＤＨフレームを前記対向装置に送信するフレーム送信部と、を有することを特徴とする伝送装置。
【請求項２】
前記選択情報挿入部はＫ１バイト及びＫ２バイトを生成するＫ１／Ｋ２生成部を含み、前記Ｋ１／Ｋ２生成部は前記選択情報に応じて前記Ｋ１バイト及び前記Ｋ２バイトを生成することを特徴とする請求項１に記載の伝送装置。
【請求項３】
前記伝送路故障情報及び前記強制切替の情報が系の切替を表わさないときのみ、前記経路情報の更新判定の情報に基づいて前記現用系及び前記予備系のいずれかを選択する前記選択情報を生成することを特徴とする請求項１又は２に記載の伝送装置。
【請求項４】
前記Ｋ１／Ｋ２生成部は、前記経路情報の更新判定の情報に基づく前記選択情報を前記Ｋ１バイトに含めることを特徴とする請求項２又は３に記載の伝送装置。
【請求項５】
前記切替処理部は、前記強制切替の情報、前記伝送路故障情報及び前記フレーム処理部のＳＯＨ処理の情報に基づき前記ＩＰ装置に送出する前記ＩＰパケットの経路情報の修正をなすことを特徴とする請求項１乃至４のいずれか１に記載の伝送装置。
【請求項６】
前記ＩＰパケットの経路情報の修正は、前記ＩＰルーティング・プロトコル・パケットのメトリック値を修正して行われることを特徴とする請求項５に記載の伝送装置。
【請求項７】
前記ＩＰパケットの情報の制御は、前記ＩＰパケットに含まれるHellowパケット又はKeepAliveメッセージに対して行われることを特徴とする請求項５又は６に記載の伝送装置。
【請求項８】
前記ＩＰパケットの情報の制御に応じて、前記ＩＰパケットの情報を修正するＩＰパケット修正部を更に有することを特徴とする請求項５乃至７のいずれか１に記載の伝送装置。
【請求項９】
現用系及び予備系からなるＳＤＨ伝送路を介して対向装置に接続され、ＩＰ伝送路を介してＩＰ装置に接続されるとともに、前記現用系と前記予備系との間の強制切替及び前記ＳＤＨ伝送路における伝送路故障情報を検出する制御装置に接続された伝送装置において行われるＳＤＨ伝送路切替方法あって、
前記強制切替の情報と、前記伝送路故障情報と、前記対向装置から供給されたＳＤＨフレームのセクションオーバヘッド（ＳＯＨ）処理の情報と、前記ＩＰ装置から受信するＩＰパケットのＩＰルーティング・プロトコル・パケットに基づいて判定された前記ＳＤＨ伝送路の経路情報の更新をすべきか否かの情報と、に基づいて前記現用系及び前記予備系のいずれかを選択することを表わす選択情報を生成し、前記選択情報が挿入されたＳＤＨフレームを前記対向装置に送信することを特徴とするＳＤＨ伝送路切替方法。
【請求項１０】
前記経路情報の更新判定の情報は、前記伝送路故障情報又は前記強制切替の情報よりも前記選択情報の生成処理における優先順位が低いことを特徴とする請求項９に記載のＳＤＨ伝送路切替方法。
【請求項１１】
前記経路情報の更新判定の情報に基づく前記選択情報の内容をＫ１バイトに含めることを特徴とする請求項９又は１０に記載のＳＤＨ伝送路切替方法。
【発明の詳細な説明】
【技術分野】
【０００１】
本発明は、同期デジタルハイアラーキ（ＳＤＨ：Synchronous Digital Hierarchy）伝送路上でＩＰパケットを伝送することができる伝送装置及び当該伝送装置におけるＳＤＨ伝送路切替方法に関するものである。
【背景技術】
【０００２】
従来から、インターネットサービスプロバイダ間を結ぶインターネットのバックボーン回線などに用いられる規格として、同期デジタルハイアラーキ（ＳＤＨ：Synchronous Digital Hierarchy）が知られている。ＳＤＨは、光ファイバーを用いた高速デジタル通信方式であって、国際電気通信連合・電気通信標準化セクタ（ＩＴＵ−ＴＳ）で標準化された規格である。
【０００３】
かかるＳＤＨの特徴は、以下の３点に集約できる。第１に、世界統一された同期インターフェースであり、１．５メガビット／秒（Ｍｂｉｔ／ｓ）及び２Ｍｂｉｔ／ｓ系の両方の情報を対等に扱えるとともに、伝送装置のマルチベンダ化が可能になり、更には、信号が同期化されているので多重化されている情報を低速に分離せずに直接アクセスすることができる。第２に、各種情報の柔軟な多重化が可能であり、６４ｋｂｉｔ／ｓをベースとする音声情報から高速データ情報まで多重化することができる。このため、将来のブロードバンドサービス実現のためのインフラストラクチャを導入時点から構築することができる。第３に、運用保守性に富んだインターフェースであり、多重化された情報についてのエンド・エンドのオンライン監視が可能になる。このため、ネットワークの高機能化、高品質化が可能になる。例えば、特許文献１に、ＳＤＨ伝送装置及びこれを備えた伝送システムについて開示されている。
【先行技術文献】
【特許文献】
【０００４】
【特許文献１】特開２００３−１３４０７４
【発明の概要】
【発明が解決しようとする課題】
【０００５】
近年においては、更に効率の良い且つ信頼性の高いフレーム伝送が要求されてきているが、ＳＤＨ伝送路自体の遅延等による問題によって十分な対応が困難であった。また、ＳＤＨ伝送路（ＳＤＨ網）及びＩＰ伝送路（ＩＰ網）に伝送装置が接続された状態で、ＳＤＨ伝送路を介してＩＰパケットが伝送される場合には、ＯＳＩ参照モデルの物理層（レイア１）に対してのみ冗長系の構造であるため、より効率の良い且つ信頼性の高いＩＰパケット伝送が困難であった。
【０００６】
本発明は、以上の如き事情に鑑みてなされたものであり、ＳＤＨ網及びＩＰ網に伝送装置が接続された状態において、効率の良い且つ信頼性の高いＩＰパケット伝送が実現できる伝送装置及びＳＤＨ伝送路切替方法を提供する。
【課題を解決するための手段】
【０００７】
上述した課題を解決するために、本発明の伝送装置は、現用系及び予備系からなるＳＤＨ伝送路を介して対向装置に接続され、ＩＰ伝送路を介してＩＰ装置に接続されるとともに、現用系と予備系との間の強制切替及びＳＤＨ伝送路における伝送路故障情報を検出する制御装置に接続された伝送装置であって、対向装置からＳＤＨフレームを受信してセクションオーバヘッド（ＳＯＨ）処理をなすフレーム処理部と、ＳＤＨフレームからＩＰパケットを抽出してＩＰ装置に送出するＩＰパケット抽出部と、ＩＰ装置からＩＰパケットを受信してＳＤＨフレームに挿入するとともに、当該受信ＩＰパケットからＩＰルーティング・プロトコル・パケットを抽出するＩＰパケット挿入部と、ＩＰルーティング・プロトコル・パケットに基づいてＳＤＨ伝送路の経路情報の更新をすべきか否かの判定をなすルーティング情報判定部と、強制切替の情報、伝送路故障情報、フレーム処理部のＳＯＨ処理の情報及び経路情報の更新判定の情報に基づいて現用系及び予備系のいずれかを選択することを表わす選択情報を生成する切替処理部と、ＩＰパケット挿入部から供給されるＳＤＨフレームに選択情報を挿入する選択情報挿入部と、ＳＤＨフレームを対向装置に送信するフレーム送信部と、を有することを特徴とする。
【０００８】
また、上述した課題を解決するために、本発明のＳＤＨ伝送路切替方法は、現用系及び予備系からなるＳＤＨ伝送路を介して対向装置に接続され、ＩＰ伝送路を介してＩＰ装置に接続されるとともに、現用系と予備系との間の強制切替及びＳＤＨ伝送路における伝送路故障情報を検出する制御装置に接続された伝送装置において行われるＳＤＨ伝送路切替方法あって、強制切替の情報と、伝送路故障情報と、対向装置から供給されたＳＤＨフレームのセクションオーバヘッド（ＳＯＨ）処理の情報と、ＩＰ装置から受信するＩＰパケットのＩＰルーティング・プロトコル・パケットに基づいて判定されたＳＤＨ伝送路の経路情報の更新をすべきか否かの情報と、に基づいて現用系及び予備系のいずれかを選択することを表わす選択情報を生成し、選択情報が挿入されたＳＤＨフレームを対向装置に送信することを特徴とする。
【発明の効果】
【０００９】
本発明の伝送装置は、現用系及び予備系からなるＳＤＨ伝送路を介して対向装置に接続され、ＩＰ伝送路を介してＩＰ装置に接続されるとともに、現用系と予備系との間の強制切替及びＳＤＨ伝送路における伝送路故障情報を検出する制御装置に接続された伝送装置であって、対向装置からＳＤＨフレームを受信してセクションオーバヘッド（ＳＯＨ）処理をなすフレーム処理部と、ＳＤＨフレームからＩＰパケットを抽出してＩＰ装置に送出するＩＰパケット抽出部と、ＩＰ装置からＩＰパケットを受信してＳＤＨフレームに挿入するとともに、当該受信ＩＰパケットからＩＰルーティング・プロトコル・パケットを抽出するＩＰパケット挿入部と、ＩＰルーティング・プロトコル・パケットに基づいてＳＤＨ伝送路の経路情報の更新をすべきか否かの判定をなすルーティング情報判定部と、強制切替の情報、伝送路故障情報、フレーム処理部のＳＯＨ処理の情報及び経路情報の更新判定の情報に基づいて現用系及び予備系のいずれかを選択することを表わす選択情報を生成する切替処理部と、ＩＰパケット挿入部から供給されるＳＤＨフレームに選択情報を挿入する選択情報挿入部と、ＳＤＨフレームを対向装置に送信するフレーム送信部と、を有している。
【００１０】
本発明の伝送装置は、特に上記のルーティング情報判定部及び切替処理部を有することによってＳＤＨ伝送路自体の遅延等による問題に対応することができ、効率の良い且つ信頼性の高いフレーム伝送を行うことができる。また、上述した構成によって本発明の伝送装置は、ＩＰパケットを含むＳＤＨフレームの伝送において、ＩＰパケットに対しても冗長系の構成を取ることができ、効率の良い且つ信頼性の高いＩＰパケット伝送を行うことができる。
【図面の簡単な説明】
【００１１】
【図１】本発明の第１の実施例である伝送装置を備えた伝送システムの構成図である。
【図２】図１における自装置−対向装置間の詳細な構成図である。
【図３】本発明の第１の実施例である伝送装置と搭載した自装置の受信時における動作フロー図である。
【図４】本発明の第１の実施例である伝送装置と搭載した自装置の送信時における動作フロー図である。
【図５】本発明の第１の実施例である伝送装置の構成図である。
【図６】本発明の第１の実施例である伝送装置を備えた伝送システムにおけるＫ１、Ｋ２バイトのビット割付けを説明するための図である。
【図７】本発明の第１の実施例である伝送装置を備えた伝送システムにおけるＫ１バイトの内容を説明するための図である。
【図８】（ａ）は本発明の第１の実施例である伝送装置を備えた伝送システムにおけるＫ１バイトの内容を説明するための図であり、（ｂ）乃至（ｄ）は本発明の第１の実施例である伝送装置を備えた伝送システムにおけるＫ２バイトの内容を説明するための図である。
【図９】本発明の第１の実施例である伝送装置を備えた伝送システムにおける各種の保護時間を説明するための図である。
【図１０】本発明の第１の実施例である伝送装置における各種状態を説明するための図である。
【図１１】本発明の第１の実施例である伝送装置における各種状態を説明するための図である。
【図１２】本発明の第１の実施例である伝送装置における各種状態を説明するための図である。
【図１３】本発明の第１の実施例である伝送装置における各種状態を説明するための図である。
【図１４】（ａ）は本発明の第１の実施例である伝送装置を備えた伝送システムにおける切替なし定常状態の切替制御の優先順位を説明するための図であり、（ｂ）は本発明の第１の実施例である伝送装置を備えた伝送システムにおける切替状態の切替制御の優先順位を説明するための図である。
【図１５】本発明の第１の実施例である伝送装置同士の間における切替シーケンス図である。
【図１６】本発明の第１の実施例である伝送装置同士の間における切替シーケンス図である。
【図１７】本発明の第１の実施例である伝送装置同士の間における切替シーケンス図である。
【図１８】本発明の第１の実施例である伝送装置同士の間における切替シーケンス図である。
【図１９】本発明の第１の実施例である伝送装置同士の間における切替シーケンス図である。
【図２０】本発明の第１の実施例である伝送装置同士の間における切替シーケンス図である。
【図２１】本発明の第２の実施例である伝送装置の構成図である。
【発明を実施するための形態】
【００１２】
以下、本発明の実施例について添付図面を参照しつつ詳細に説明する。
【実施例１】
【００１３】
先ず、図１及び図２を参照しつつ、本発明である伝送装置を備えた伝送システムについて説明する。図１は本発明である伝送装置を備えた伝送システムの構成図であり、図２は図１における自装置−対向装置間の詳細な構成図である。
【００１４】
図１に示されているように、伝送システム１００においては、自装置１０と対向装置２０とが現用系及び予備系からなる同期デジタルハイアラーキ（ＳＤＨ：Synchronous Digital Hierarchy）伝送路３０によって接続されている。自装置１０及び対向装置２０のそれぞれは、ＩＰ伝送路（ＩＰ網）４０を介して複数のＩＰ装置５０に接続されている。
【００１５】
図２に示されているように、自装置１０は、０系装置群１１、１系装置群１２及び制御装置１３から構成されている。０系装置群１１は、ＩＰ  ｏｖｅｒ  ＳＤＨ技術が搭載された伝送装置であるＳＤＨ装置１１ａ、レイヤスリースイッチ（Ｌ３ＳＷ）１１ｂ及びＩＰ装置１１ｃから構成されている。１系装置群１２は０系装置群と同様に、ＩＰ  ｏｖｅｒ  ＳＤＨ技術が搭載された伝送装置であるＳＤＨ装置１２ａ、レイヤスリースイッチ（Ｌ３ＳＷ）１２ｂ及びＩＰ装置１２ｃから構成されている。自装置１０内において、制御装置１３はＳＤＨ装置１１ａ、Ｌ３ＳＷ１１ｂ、ＩＰ装置１１ｃ、ＳＤＨ装置１２ａ、Ｌ３ＳＷ１２ｂ及びＩＰ装置１２ｃと双方向に接続されている。制御装置１３は、接続された各装置に対して制御コマンドを供給し、各装置から供給される当該制御コマンドの応答を受信する。更に、制御装置１３は、ＳＤＨ伝送路３０における伝送路故障を検出したり、ＳＤＨ装置１１ａに伝送路を強制的に切替える制御信号を供給する。
また、ＳＤＨ装置１１ａ及びＬ３ＳＷ１１ｂ、Ｌ３ＳＷ１１ｂ及びＩＰ装置１１ｃ、ＳＤＨ装置１２ａ及びＬ３ＳＷ１２ｂ、Ｌ３ＳＷ１２ｂ及びＩＰ装置１２ｃが双方向に接続されている。更に、ＳＤＨ装置１１ａ、１２ａ同士、Ｌ３ＳＷ１１ｂ、１２ｂ同士も双方向に接続されている。ＩＰ装置１１ｃ、１２ｃは、図１のＩＰ伝送路４０によってＩＰ装置５０と双方向に接続されている。対向装置２０についても自装置１０と同一の構成であるので、その構成の説明は省略する。
【００１６】
ＳＤＨ装置１１ａは、ＳＤＨ伝送路３０によってＳＤＨ装置２１ａと双方向に接続されている。これによって、自装置１０の０系装置群１１と対向装置２０の０系装置群２１とが双方向に接続されている。また、ＳＤＨ装置１２ａは、ＳＤＨ伝送路３０を介してＳＤＨ装置２２ａと双方向に接続されている。これによって、自装置１０の１系装置群１２と対向装置２０の１系装置群２２とが双方向に接続されている。このような伝送構造を用いることにより、０系／１系の１＋１冗長系を構成することができる。
【００１７】
次に、０系装置群１１が選択系（ＡＣＴ系）であり、１系装置群１２が非選択系（ＳＢＹ系）である場合の自装置１０の動作について図２乃至図４を参照しつつ説明する。
【００１８】
先ず、対向装置２０から自装置１０にＳＤＨフレームが供給される場合（自装置１０の受信時）について図２及び図３を参照しつつ説明する。対向装置２０の０系装置群２１及び１系装置群２２からＳＤＨ伝送路３０を介して供給されるＳＤＨフレームをＳＤＨ装置１１ａ及びＳＤＨ装置１２ａが受信する（ステップＳ１）。ＳＤＨ装置１１ａ、１２ａは、ＳＤＨフレームに収容されているＩＰパケットを抽出する（ステップＳ２）。ＡＣＴ系であるＳＤＨ装置１１ａからＬ３ＳＷ１１ｂにＩＰパケットが供給され、ＳＢＹ系であるＳＤＨ装置１２ａで抽出されたＩＰパケットは廃棄される（ステップＳ３）。ここで、伝送システム１０は１＋１冗長系の構成であることから、０系装置群１１及び１系装置群１２に同等の情報を伝送する必要がある。このため、Ｌ３ＳＷ１２ｂには、Ｌ３ＳＷ１１ｂからＩＰパケットが供給される（ステップＳ４）。Ｌ３ＳＷ１１ｂ、１２ｂからＩＰ装置１１ｃ、１２ｃにＩＰパケットが供給される（ステップＳ５）。更に、ＩＰ装置１１ｃ、１２ｃは、ＩＰ伝送路４０を介して接続されたＩＰ装置５０にＩＰパケットを供給する（ステップＳ６）。
【００１９】
次に、自装置１０から対向装置２０にＳＤＨフレームが供給される場合（自装置１０の送信時）について図２及び図４を参照しつつ説明する。ＩＰ伝送路４０を介してＩＰ装置１１ｃ、１２ｃのそれぞれに接続されたＩＰ装置５０からＩＰ装置１１ｃ、１２ｃのそれぞれに、ＩＰパケットが供給される（ステップＳ１１）。ＩＰ装置１１ｃ、１２ｃのそれぞれからＬ３ＳＷ１１ｂ、１２ｂにＩＰパケットが供給される（ステップＳ１２）。更に、Ｌ３ＳＷ１１ｂ、１２ｂのそれぞれからＳＤＨ装置１１ａ、１２ａにＩＰパケットが供給される（ステップＳ１３）。ＳＤＨ装置１１ａ、１２ａは、供給されたＩＰパケットをＳＤＨフレーム内に収納する（ステップＳ１４）。ＳＤＨ装置１１ａ、１２ａは、ＳＤＨフレームをＳＤＨ伝送路３０を介して対向装置２０のＳＤＨ装置２１ａ、２２ａに供給する（ステップＳ１５）。なお、自装置１０から対向装置２０にＳＤＨフレームを供給する場合には、自装置１０においてＩＰパケットが廃棄されることはなく、対向装置２０の受信行程中に、ＳＢＹ系の装置群においてＩＰパケットが廃棄される。
【００２０】
次に、本発明の伝送装置であるＳＤＨ装置の構成及び動作について図５を参照しつつ説明する。図５は、自装置１０の０系装置群１１のＳＤＨ装置１１ａの構成図を示している。なお、ＳＤＨ装置１２ａ、２１ａ、２２ａについても同一の構成であるので、その説明は省略する。
【００２１】
図５に示されているように、ＳＤＨ装置１１ａは、受信光モジュール５１、シリアル・パラレル変換部（Ｓ／Ｐ部）５２、セクション処理部５３、パス処理部５４、ＩＰパケット抽出部５５、Ｋ１／Ｋ２抽出部５６、自動保護スイッチ（ＡＰＳ：Automatic Protection Switch）切替処理部５７、ＩＰパケット挿入部５８、ルーティング情報判定部５９、Ｋ１／Ｋ２生成部６１、パス処理部６２、セクション処理部６３、パラレル・シリアル変換部（Ｐ／Ｓ部）６４、送信光モジュール６５から構成されている。また、ＡＰＳ切替処理部５７は、経路切替（ＲＳ：Routing Switch）判定部５７ａを含んでいる。
【００２２】
受信光モジュール５１は、対向装置２０から供給されるＳＤＨフレームを受信する。また、受信光モジュール５１は、光信号状態で受信したＳＤＨフレームを電気信号状態に変換する。更に、受信光モジュール５１は、電気信号状態に変換されたＳＤＨフレームをＳ／Ｐ部５２に供給する。
【００２３】
Ｓ／Ｐ部５２は、ＳＤＨフレームをシリアルからパラレルに変換する。また、Ｓ／Ｐ部５２は、パラレルに変換したＳＤＨフレームをセクション処理部５３に供給する。
【００２４】
セクション処理部５３は、ＳＤＨフレームのセクションオーバヘッド（ＳＯＨ：Section Over-head）を抽出する。また、セクション処理部５３は、ＳＯＨの各バイトに対応した処理（すなわち、ＳＯＨ処理）を実行する。更に、セクション処理部５３は、ＳＤＨフレームをパス処理部５４に供給し、抽出したＳＯＨをＫ１／Ｋ２抽出部５６に供給する。
【００２５】
パス処理部５４は、ＳＤＨフレームからパスオーバヘッド（ＰＯＨ：Path Over-head）を抽出する。また、パス処理部５４は、ＰＯＨの各バイトに対応した処理を実行する。更に、パス処理部５４は、ＳＤＨフレームをＩＰパケット抽出部５５に供給する。
【００２６】
ＩＰパケット抽出部５５は、ＳＤＨフレームからＩＰパケットを抽出する。また、ＩＰパケット抽出部５５は、ＩＰパケットをＩＰルーティング・プロトコル・パケットと、それ以外のパケットとに分類する。例えば、ＩＰルーティング・プロトコル・パケットとは、ルーティング更新情報又はＨｅｌｌｏパケット等の正常な動作状態にあるか否かの確認情報である。分類には、実装するＩＰルーティング・プロトコロルに応じて、ＩＰプロトコルＩＤ、ＴＣＰ／ＵＤＰポート番号が用いられる。
【００２７】
自律システム（ＡＳ：Autonomous System）内で動作する内部ゲートウェイプロトコル（ＩＧＰｓ：Interior Gateway Protocols）の場合における、ＩＰルーティング・プロトコルとしては、ルーティング・インフォメーション・プロトコル（ＲＩＰ：Routing Information Protocol）又はオープン・ショーテスト・パス・ファースト（ＯＳＰＦ：Open Shortest Path First）がある。自律システム（ＡＳ）間で動作する外部ゲートウェイプロトコル（ＥＧＰｓ：Exterior Gateway Protocols）の場合における、ＩＰルーティング・プロトコルとしては、エクステリア・ゲートウェイ・プロトコル（ＥＧＰ：Exterior Gateway Protocol）又はボーダ・ゲートウェイ・プロトコル（ＢＧＰ：Border Gateway Protocol）がある。
【００２８】
ＩＰパケット抽出部５５は、ＳＤＨ装置１１ａがＡＣＴ系である場合（すなわち、０系装置群１１がＡＣＴ系の場合）に、ＩＰルーティング・プロトコル・パケット以外のパケットを供給するが、ＳＤＨ装置１１ａがＳＢＹ系の場合（すなわち、１系装置群１２がＡＣＴ系の場合）に、ＩＰルーティング・プロトコル・パケット以外のパケットをＬ３ＳＷ１１ｂに供給しない（廃棄する）。
【００２９】
また、ＩＰパケット抽出部５５は、ＳＤＨ伝送路３０における０系装置群１１の伝送路距離、０系装置群１１と０系装置群２１との間に存在する光中継装置の処理効率（処理速度）や光中継装置の台数等を考慮し、実装するＩＰルーティング・プロトコルのメトリック値を設定する。ＩＰパケット抽出部５５は、メトリック値の設定されたＩＰルーティング・プロトコル・パケットをＬ３ＳＷ１１ｂに供給（送出）する。かかる供給は、ＳＤＨ装置１１ａがＡＣＴ系又はＳＢＹ系のいずれであっても行われる。かかるＩＰパケット抽出部５５の動作により、Ｌ３ＳＷ１１ｂは、ＩＰルーティング・プロトコル・パケットをＡＣＴ系及びＳＢＹ系の両方（すなわち、ＳＤＨ装置１１ａ、１２ａ）から得ることができ、かかる２種類のＩＰルーティング・プロトコル・パケットから経路情報の判定を行うことができる。
【００３０】
Ｋ１／Ｋ２抽出部５６は、セクション処理部５３から供給されるＳＯＨからＫ１バイト及びＫ２バイトを抽出する。また、Ｋ１／Ｋ２抽出部５６は、Ｋ１バイト及びＫ２バイト（以下、両バイトを含めてＡＰＳバイトとも称する）をＡＰＳ切替処理部５７に供給する。なお、ＡＰＳバイトの抽出はＳＯＨ処理の一部とする。
【００３１】
ＩＰパケット挿入部５８は、Ｌ３ＳＷ１１ｂからＩＰパケットを受信する。ＩＰパケット挿入部５８は、ＩＰパケットをＳＤＨフレームに収納する。また、ＩＰパケット挿入部５８は、ＩＰパケットをＩＰルーティング・プロトコル・パケットと、それ以外のパケットとに分類する。分類の方法は、ＩＰパケット抽出部５５における分類と同様であるため、その説明は省略する。ＩＰパケット挿入部５８は、ＩＰルーティング・プロトコル・パケットのみをルーティング情報判定部５９に供給する。また、ＩＰパケット挿入部５８は、ＩＰパケットが挿入されたＳＤＨフレームをパス処理部６２に供給する。
【００３２】
ルーティング情報判定部５９は、実装されるＩＰルーティング・プロトコルに基づき、供給されたＩＰルーティング・プロトコル・パケットを解読する。更に、ルーティング情報判定部５９は、かかる解読からＳＤＨ伝送路３０の経路情報の更新をすべきか否か（ルーティング・テーブルの更新をすべきか否か）を判定する。ルーティング情報判定部５９は、ルーティング・テーブルの更新をすべきか否かを表わす第１のフラグ信号（ＦＬＡＧｒｃｈｇ）を生成し、かかる第１のフラグ信号をＲＳ判定部５７ａに供給する。
【００３３】
ＡＰＳ切替処理部５７は、Ｋ１／Ｋ２抽出部５６から供給されるＫ１バイト及びＫ２バイトによって表わされる切替要求の内容を把握する。内容の把握詳細については、後述するＫ１バイト及びＫ２バイトのビット割付けとともに説明する。また、ＡＰＳ切替処理部５７は、制御装置１３から供給される強制切替及び切替解除コマンドに対し、当該強制切替及び切替解除コマンドが正常終了したか又は異常終了したかの返答を行う。
【００３４】
また、ＡＰＳ切替処理部５７は、ＲＳ判定部５７ａを含んでいる。ＲＳ判定部５７ａは、第１のフラグ信号に基づいて、ＳＤＨ装置１１ａを現用系から予備系に切替える必要があるか否かを判定する。ＲＳ判定部５７ａは、当該切替又は非切替を表わす第２のフラグ信号（ＦＬＡＧｓｗ）を生成する。
【００３５】
ＡＰＳ切替処理部５７は、ＲＳ判定部５７ａで生成された第２のフラグ信号、現状のルーティング・テーブル、制御装置１３からの強制切替／切替解除コマンド及び供給されるＡＰＳバイトを考慮し、対向装置２０に供給する切替要求の内容を判定する（すなわち、現用系及び予備系のいずれかを選択するかを判断する）。
【００３６】
また、ＡＰＳ切替処理部５７には、１系装置群１２のＳＤＨ装置１２ａ内で抽出されたＡＰＳバイトが供給される場合があり、ＡＰＳ切替処理部５７は、ＳＤＨ装置１２ａから供給されるＡＰＳバイトを使用して、上記処理を行うこともある。また、ＡＰＳ切替処理部５７は、Ｋ１／Ｋ２抽出部５６で抽出されたＡＰＳバイトをＳＤＨ装置１２ａに供給することもある。
【００３７】
ＡＰＳ切替処理部５７は、上記方法によって決定したＡＰＳバイトの情報（すなわち、現用系及び予備系のいずれかを選択することを表わす選択情報）をＫ１／Ｋ２生成部６１に供給する。なお、ＡＰＳ切替処理部５７における伝送路切替処理の詳細は後述する。
【００３８】
Ｋ１／Ｋ２生成部６１は、ＡＰＳ切替処理部５７から供給される情報に基づいて、Ｋ１バイト及びＫ２バイトを生成する。また、Ｋ１／Ｋ２生成部６１は、Ｋ１バイト及びＫ２バイトをセクション処理部６３に供給する。
【００３９】
パス処理部６２は、対向装置２０に供給するＰＯＨを生成する。また、パス処理部６２は、ＳＤＨフレームにＰＯＨを挿入する。更に、パス処理部６２は、ＰＯＨフレームが挿入されたＳＤＨフレームをセクション処理部６３に供給する。
【００４０】
セクション処理部６３は、Ｋ１／Ｋ２生成部６１から供給されるＫ１バイト及びＫ２バイトに基づいてＳＯＨを生成する。また、セクション処理部６３は、ＳＯＨをパス処理部６２から供給されるＳＤＨフレームに挿入する。更に、セクション処理部６３は、ＳＯＨが挿入されたＳＤＨフレームをＰ／Ｓ部６４に供給する。
【００４１】
Ｐ／Ｓ部６４は、ＳＤＨフレームをパラレルからシリアルに変換する。また、Ｐ／Ｓ部６４は、シリアルに変換したＳＤＨフレームを送信光モジュール６５に供給する。
【００４２】
送信光モジュール６５は、Ｐ／Ｓ部６４から供給される電気信号状態のＳＤＨフレームを光信号状態に変換する。送信光モジュールは、変換したＳＤＨフレームをＳＤＨ伝送路３０を介して対向装置２０に供給する。
【００４３】
なお、上述した、Ｓ／Ｐ部５２、セクション処理部５３、パス処理部５４及びＫ１／Ｋ２抽出部５６からフレーム処理部が構成されている。また、Ｋ１／Ｋ２生成部６１、パス処理部６２、セクション処理部６３及びＰ／Ｓ部６４から選択情報挿入部が構成されている。
【００４４】
次に、ＡＰＳ切替処理部５７における切替について図６乃至図１４を参照しつつ説明する。先ず、ＳＤＨ装置１１ａにおいては、標準化された伝送路切替装置として自動保護スイッチ（ＡＰＳ：Automatic Protection Switch）切替が用いられており、かかるＡＰＳを実現するためにＡＰＳ切替処理部５７が設けられている。かかる切替は、ＳＯＨのＡＰＳバイトを用いた１＋１冗長系切替の制御方式であり、上りの信号と下りの信号とを対にして切替える双方向切替である。更には、故障又は切替コマンドによってＳＤＨ伝送路３０を現用系である０系装置群１１から予備系である１系装置群１２に切替えた後に、故障回復又は切替解除コマンドによってＳＤＨ伝送路３０を予備系である１系装置群１２から現用系である０系装置群１１に切替し直すこと（すなわち、切戻し）は行わず、切替えた（すなわち、選択した）予備系である１系装置群１２を現用系として名称変更を行う。
【００４５】
先ず、ＡＰＳ切替を行うときに参照され、且つ、対向する装置に供給する切替要求を表わすＡＰＳバイトについて、図６乃至図８を参照しつつ説明する。図６に示されているように、Ｋ１バイト及びＫ２バイトのそれぞれは、ｂ１〜ｂ８のビット列から構成されている。Ｋ１バイトにおいて、ｂ１〜ｂ４までのビット列は切替要求の種類を示し、ｂ５〜ｂ８までのビット列は切替要求を行ってきた現用伝送路の番号を示している。Ｋ２バイトにおいて、ｂ１〜ｂ４までのビット列は現用伝送路として使用している伝送路の番号を示し、ｂ５は切替構成を示し、ｂ６〜ｂ８までのビット列は伝送路の状態を示している。
【００４６】
図７は、本実施例のような１+１冗長系切替の場合において、Ｋ１バイト（ｂ１〜ｂ４）によって示される切替要求及びその内容を表示している。Ｋ１バイト（ｂ１〜ｂ４）が「１１１０」の場合は、強制切替（ＦＳ：Forced Switch）を表わしている。その内容は、予備系が正常の場合に、外部制御により現用系のトラヒックを予備系に切替えることである。Ｋ１バイト（ｂ１〜ｂ４）が「１１００」の場合は、自動切替−伝送路故障（ＳＦ：Siganal Fail）を表わしている。その内容は、予備系が正常の場合に、光入力断（ＬＯＳ：Loss of Signal）、フレーム同期はずれ（ＬＯＦ：Loss of Frame）、セクションＡＩＳ（Multiplex Section Alarm Indication Signal）及び装置内異常を検出すると現用系のトラヒックを予備系に自動的に切替えることである。Ｋ１バイト（ｂ１〜ｂ４）が「１０１０」の場合は、自動切替−品質劣化（ＳＤ：Signal Degrade）を表わしている。その内容は、予備系が正常の場合に、誤り率劣化を検出すると現用系のトラヒックを予備系に自動的に切替えることである。Ｋ１バイト（ｂ１〜ｂ４）が「０１１０」の場合は、回復待機（ＷＲ：Wait to Restore）を表わしている。その内容は、故障回復後、回復待機保護時間中に伝送路名称変更を行わないことである。なお、回復待機保護時間については、後述する。Ｋ１バイト（ｂ１〜ｂ４）が「０１００」の場合は、経路切替（ＲＳ：Routing Switch）を表わしている。その内容は、予備系が正常の場合、ＩＰルーティング・プロトコルによる経路切替で現用系のトラヒックを予備系に切替えることである。Ｋ１バイト（ｂ１〜ｂ４）が「００１０」の場合は、切替応答（ＲＲ：Reverse Request）を表わしている。その内容は、対向装置側からの切替要求を受けて、対向する装置に切替を実行したことを通知することである。Ｋ１バイト（ｂ１〜ｂ４）が「００００」の場合は、切替なし（ＮＢ：No Bridge Required）を表わしている。より具体的には、現用系から予備系に切替える切替要求が無く現用系（０系装置群１１が現用系である場合には０系装置群１１）を使用し続けること、現用系である０系装置群１１から予備系である１系装置群１２に切替を行った後に、１系装置群１２を現用系として伝送路名称変更して現用系（１系装置群１２）を使用し続けること、現用系である０系装置群１１から予備系である１系装置群１２に切替を行った後に、ＡＣＴ系のＳＤＨ伝送路を現用系である０系装置群１１に切替し直して（以下、切戻しと称する）現用系（０系装置群１１）を使用し続けることをいう。
【００４７】
図８（ａ）は、本実施例のような１+１冗長系切替の場合において、Ｋ１バイト（ｂ５〜ｂ８）によって示される内容を表示している。Ｋ１バイト（ｂ５〜ｂ８）が「００１０」の場合は、１系が切替要求を行っていることを表わしている。Ｋ１バイト（ｂ５〜ｂ８）が「０００１」の場合は、０系が切替要求を行っていることを表わしている。Ｋ１バイト（ｂ５〜ｂ８）が「００００」の場合は、切替要求が行なわれていない（すなわち、ＮＢである）ことを表わしている。
【００４８】
図８（ｂ）は、本実施例のような１+１冗長系切替の場合において、Ｋ２バイト（ｂ１〜ｂ４）によって示される内容を表示している。Ｋ２バイト（ｂ１〜ｂ４）が「００１０」の場合は１系が現用系（１系現用）であることを示し、「０００１」の場合は０系が現用系（０系現用）であることを示している。
【００４９】
図８（ｃ）は、本実施例のような１+１冗長系切替の場合において、Ｋ２バイト（ｂ５）によって示される内容を表示している。Ｋ２バイト（ｂ５）が「０」の場合は、１＋１冗長切替であることを表わしている。なお、本実施例の１＋１冗長の構造では使用されないが、Ｋ２バイト（ｂ５）が「１」の場合は１：Ｎ冗長切替であることを表わしていても良い。
【００５０】
図８（ｄ）は、本実施例のような１+１冗長系切替の場合において、Ｋ２バイト（ｂ６〜ｂ８）によって示される内容を表示している。Ｋ２バイト（ｂ６〜ｂ８）が「１１１」の場合は伝送路の状態がＭＳ−ＡＩＳであることを示している。Ｋ２バイト（ｂ６〜ｂ８）が「１１０」の場合は伝送路の状態がセクションＲＤＩ（ＭＳ−ＲＤＩ：Multiplex Section Remote Defect Indication）であることを示している。Ｋ２バイト（ｂ５〜ｂ８）が「０００」の場合は伝送路の状態が正常状態であることを示している。
【００５１】
Ｋ１バイト及びＫ２バイトの送受信方法は、それぞれのビットごとに異なっている。具体的には、Ｋ１バイト（ｂ１〜ｂ８）及びＫ２バイト（ｂ１〜ｂ５）は、現用系と予備系の両系に対して常に同一の内容で常時送信されているが、Ｋ２バイト（ｂ６〜ｂ８）は、現用系及び予備系の各々に対して独立した内容で常時送信されている。また、Ｋ１バイト（ｂ１〜ｂ８）及びＫ２バイト（ｂ１〜ｂ８）は、予備系又は現用系において同一の内容を連続して３回受信された場合のみ、制御対象として判断される。更に、Ｋ１バイト（ｂ１〜ｂ８）及びＫ２バイト（ｂ１〜ｂ５）ついて、通常の場合に予備系から抽出されるものが制御対象になるが、予備系から抽出できない場合には現用系から抽出されたものが制御の対象になる。
【００５２】
次に、ＡＰＳ切替の各種状態について図９乃至図１３を参照しつつ説明する。
【００５３】
ＡＰＳ切替の各種状態を説明する前提として、先ず、ＳＤＨ装置における保護時間について説明する。保護時間は、切替要求保護時間（Ｔｄｇ）、回復確認保護時間（Ｔｒｇ）、回復待機保護時間（Ｔｗｔ）、応答確認保護時間（Ｔｒｃ）及び送出待機保護時間（Ｔｓｗ）に分類することができる（図９参照）。
【００５４】
切替要求保護時間とは、ＳＤＨ装置が伝送路内の故障を検出することによって故障発生状態であると判断してから、故障を検出したＳＤＨ装置から対向するＳＤＨ装置に対して切替要求のＡＰＳバイトが供給されるまでの時間をいう。なお、切替要求保護時間内に故障が回復した場合には、故障状態とは判断されない。また、切替要求保護時間内に故障回復及び再故障が発生した場合には、切替要求保護時間のカウント値はリセットされ、再故障の検出時からカウントし直される。更に、切替要求保護時間内に優先順位の高い切替要求の故障が発生した場合には、切替要求保護時間のカウント値はリセットされ、優先順位の高い切替要求の故障検出時からカウントし直される。逆に、切替要求保護時間内に優先順位の低い切替要求の故障が発生した場合には、先の故障の切替要求保護時間のカウントが継続される（すなわち、カウントし直されることはない）。なお、切替要求の優先順位については、後述する。
【００５５】
回復確認保護時間とは、ＳＤＨ装置が故障回復の検出によって故障が回復したと判断してから、故障回復を検出したＳＤＨ装置から対向するＳＤＨ装置に対して回復待機ＡＰＳバイトが供給されるまでの時間をいう。回復確認保護時間内に、故障が再度発生した場合には、故障が回復したとは判断されない。また、回復確認保護時間内に、再故障及び再故障の回復が発生した場合には、回復確認保護時間のカウント値はリセットされ、再故障の回復の検出時点からカウントし直される。
【００５６】
回復待機保護時間とは、回復確認保護時間経過後において回復待機ＡＰＳバイトの供給から、ＳＤＨ装置からこれに対向するＳＤＨ装置に対して伝送路名称変更ＡＰＳバイトが供給されるまでの時間をいう。回復待機保護時間内には、再び故障が発生していないことが要求される。
【００５７】
応答確認保護時間とは、強制切替等の制御命令を対向するＳＤＨ装置に供給してから、当該制御命令に対する応答の確認をするまでの一定の待機時間間をいう。具体的には、強制切替又は切替解除の命令が対向する装置に供給された場合には、応答確認保護時間がカウントされる。応答確認保護時間に対向するＳＤＨ装置から応答確認を受信しない場合には、タイムアウトとして処理される。
【００５８】
送出待機保護時間とは、対向するＳＤＨ装置から応答確認ＡＰＳバイトを受信してから、伝送路名称変更ＡＰＳバイトが対向するＳＤＨ装置に供給されるまでの時間をいう。
【００５９】
ＡＰＳ切替の状態は、定常状態（図１０参照）、変化状態（図１１参照）、切替状態（図１２参照）、対向切替状態（図１３）に分類することができる。
【００６０】
定常状態は、更に切替なし定常状態と、予備系故障定常状態に分類することができる。切替なし定常状態とは、切替要求及び予備系故障が無く、対向する装置間でＮＢ（切替なし）を表わす信号（以下、単にＮＢとも称する）を送受信している状態をいう。予備系故障定常状態は、自装置側で予備系（例えば、１系装置群１２、２２の間）の故障（伝送路故障（ＳＦ故障）、伝送路品質劣化（ＳＤ故障）又は装置故障（装置内の異常））を検出した場合に、現用系から予備系に切替を実施しない状態、又は、対向する装置で予備系（例えば、０系現用の場合には１系装置群１２、２２の間）の故障（伝送路故障（ＳＦ故障）又は、伝送路品質劣化（ＳＤ故障）又は装置故障（装置内の異常））を検出した場合に、現用系（例えば、０系現用の場合には０系装置群１１）から予備系（例えば、０系現用の場合には１系装置群１２）に切替を実施しない状態をいう。
【００６１】
変化状態は、ＦＳ切替変化状態、ＳＦ切替変化状態、ＳＤ切替変化状態、ＲＳ切替変化状態、予備系故障切戻し変化状態、ＦＳ伝送路名称変更変化状態、ＳＦ伝送路名称変更変化状態、ＳＤ伝送路名称変更変化状態及びＲＳ伝送路名称変更変化状態に分類することができる。ＦＳ切替変化状態とは、強制切替コマンド実行後において、ＦＳ（強制切替）を表わす信号（以下に、ＦＳとも称する）を対向するＳＤＨ装置に供給してからＲＲ（切替応答）を表わす信号（以下、単にＲＲとも称する）を受信し、セレクタ動作を終了するまでの状態をいう。ＳＦ切替変化状態とは、ＳＦ故障検出に対する切替要求保護時間経過後において、ＳＦ故障に対する切替要求を表わす信号（以下、単にＳＦとも称する）を対向するＳＤＨ装置に供給してからＲＲを受信し、セレクタ動作を終了するまでの状態をいう。ＳＤ切替変化状態とは、ＳＤ故障検出に対する切替要求保護時間経過後において、ＳＤ故障に対する切替要求を表わす信号（以下、単にＳＤとも称する）を対向するＳＤＨ装置に供給してからＲＲを受信し、セレクタ動作を終了するまでの状態をいう。ＲＳ切替変化状態とは、ＡＰＳ切替処理部がＩＰルーティング・プロトコルによる予備系選択指示を受けた場合に、（ＲＳ）経路切替を表わす信号（以下、単にＲＳと称する）を対向するＳＤＨ装置に供給してからＲＲを受信し、セレクタ動作を終了するまでの時間をいう。予備系故障切戻し変化状態とは、予備系である装置群のＳＤＨ装置におけるＳＦ故障又はＳＤ故障検出に対応した切替要求保護時間経過後において、ＮＢを対向するＳＤＨ装置に供給してからＮＢを受信するまでの状態をいう。ＦＳ伝送路名称変更変化状態とは、切替解除コマンド実行後において、対向するＳＤＨ装置にＮＢを供給してから、対向するＳＤＨからのＮＢを受信し、伝送路名称変更を終了するまでの状態をいう。ＳＦ伝送路名称変更変化状態とは、ＳＦ故障に係る回復待機保護時間経過後において、対向するＳＤＨ装置にＮＢを供給してから、対向するＳＤＨ装置からのＮＢを受信し、伝送路名称変更を終了するまでの状態をいう。ＳＤ伝送路名称変更変化状態とは、ＳＤ故障に係る回復待機保護時間経過後において、対向するＳＤＨ装置にＮＢを供給してから、対向するＳＤＨ装置からのＮＢを受信し、伝送路名称変更を終了するまでの状態をいう。ＲＳ伝送路名称変更変化状態とは、送出待機保護時間経過後において、対向するＳＤＨ装置にＮＢを供給してから、対向するＳＤＨ装置からのＮＢを受信し、伝送路名称変更を終了するまでの状態をいう。
【００６２】
切替状態は、ＦＳ切替状態、ＳＦ切替状態、ＳＤ切替状態、ＷＲ切替状態、ＲＳ切替状態、同時ＦＳ切替状態、同時ＳＦ切替状態、同時ＳＤ切替状態、同時ＷＲ切替状態及び同時ＲＳ切替状態に分類することができる。ＦＳ切替状態、ＳＦ切替状態、ＳＤ切替状態及びＲＳ切替状態のそれぞれは、ＦＳ切替要求、ＳＦ切替要求、ＳＤ切替要求、ＲＳ切替要求により予備系である装置群が選択されている状態をいう。ＷＲ切替状態とは、ＳＦ故障又はＳＤ故障の回復検出に係る回復確認保護時間経過後において、ＷＲ（回復待機）を表わす信号（以下、単にＷＲとも称する）を対向するＳＤＨ装置に供給した後に回復待機保護時間をカウントしている状態をいう。同時ＦＳ切替状態とは、ＦＳ切替変化状態中に対向するＳＤＨ装置からＦＳを受信し、それに伴って予備系の装置群が選択されている状態をいう。同時ＳＦ切替状態、同時ＳＤ切替状態及び同時ＲＳ切替状態についても同時ＦＳ切替状態と同様に、各切替変化状態中に対向するＳＤＨ装置から各信号（ＳＦ、ＳＤ、ＲＳ）を受信し、それに伴って予備系の装置群が選択されている状態をいう。同時ＷＲ切替状態とは、自装置側及び対向装置側のＳＤＨ装置におけるＳＦ故障又はＳＤ故障の同時回復検出に係る回復確認保護時間経過後において、ＲＲを同時に供給し合った後における回復待機保護時間カウントが同時に進行している状態をいう。
【００６３】
対向切替状態は、対向ＦＳ切替状態、対向ＳＦ切替状態、対向ＳＤ切替状態、対向ＷＲ切替状態及び対向ＲＳ切替状態に分類することができる。対向ＦＳ切替状態、対向ＳＦ切替状態、対向ＳＤ切替状態及び対向ＲＳ切替状態とは、対向するＳＤＨ装置からの要求（ＦＳ、ＳＦ、ＳＤ、ＲＳ）により予備系が選択されている状態をいう。対向ＷＲ切替状態とは、対向するＳＤＨ装置で検出していたＳＦ故障又はＳＤ故障が回復し、対向するＳＤＨ装置が回復待機時間カウント中の状態（すなわち、対向するＳＤＨ装置からＷＲを受信した後の状態）をいう。
【００６４】
次に、切替制御の優先順位について図１４（ａ）、（ｂ）を参照しつつ説明する。図１４（ａ）は、切替無し定常状態における切替制御の優先順位を示している。また、図１４（ｂ）は、切替状態の切替制御の優先順位を示している。切替が無い定常状態においては、ＦＳ、ＳＦ、ＳＤ、ＷＲ、ＲＳ、ＲＲ、ＮＢの順序で優先順位が低くなっている。これに対して、切替状態においては、ＮＢ（切戻し）、ＮＢ（伝送路名称変更）、ＦＳ、ＳＦ、ＳＤ、ＷＲ、ＲＳ、ＲＲの順序で優先順位が低くなっている。
【００６５】
次に、自装置１０と対向装置２０との間における切替シーケンスについて、図１５乃至図２０を参照しつつ説明する。
【００６６】
図１５は、０系現用における自装置１０において、ＩＰルーティング・プロトコルによる予備系選択指示がなされる場合のシーケンスを示している。先ず、自装置１０から対向装置２０に切替要求のない信号（ＮＢ）が供給される（Ｓ１５１）。このとき対向装置２０に供給されるＫ１バイトは「００００００００」であり、Ｋ２バイトは「０００１００００」である（ＡＰＳ−２５１）。なお、図１５において示されているＮＢ（０）、ＲＳ（０）、ＮＢ（１）のカッコ内の数字は、数字が０である場合において現用系が０系装置群であることを示しており、数字が１である場合において現用系が１系装置群であることを示している。従って、Ｓ１５１の段階では、０系装置群が現用系である。
【００６７】
対向装置２０は、自装置１０からＮＢを含むフレームを連続して３フレーム受信すると、それに対応したＮＢを自装置１０に供給する（Ｓ１５２）。このとき自装置１０に供給されるＫ１バイトは「００００００００」であり、Ｋ２バイトは「０００１００００」である（ＡＰＳ−２５２）。
【００６８】
次に、ＩＰ装置５０から供給されるＩＰルーティング・プロトコルによって１系選択制御を行うことが自装置１０内で判断される（Ｓ１５３）。更に、自装置１０から１系選択指示に応じてＲＳ切替要求の信号が対向装置２０に供給される（Ｓ１５４）。このとき対向装置２０に供給されるＫ１バイトは「０１０００００１」であり、Ｋ２バイトは「０００１００００」である（ＡＰＳ−２５３）。対向装置２０は、自装置１０からＲＳを含むフレームを連続して３フレーム受信すると、経路を現用系から予備系に選択切替する（Ｓ１５５）。予備系への選択切替の実行が完了すると、対向装置２０は自装置１０にＲＲを供給する（Ｓ１５６）。このとき自装置１０に供給されるＫ１バイトは「００１００００１」であり、Ｋ２バイトは「０００１００００」である（ＡＰＳ−２５４）。自装置１０は、対向装置２０からＲＲを含むフレームを連続して３フレーム受信すると、経路を現用系から予備系に選択切替する（Ｓ１５７）。
【００６９】
その後、自装置１０は、対向装置２０に伝送路名称変更のＮＢを供給する（Ｓ１５８）。すなわち、自装置１０は、予備系である１系を現用系に名称変更することを対向装置２０に要求することになる。従って、図１５のＳ１５８においてはＮＢ（１）と示されている。このとき対向装置２０に供給されるＫ１バイトは「００００００００」であり、Ｋ２バイトは「００１０００００」である（ＡＰＳ−２５５）。なお、自装置１０がＲＲを受信してから対向装置２０にＮＢを供給するまでの期間は、送出待機保護時間（Ｔｓｗ）である。対向装置２０は、自装置１０からＮＢを含むフレームを連続して３フレーム受信すると、伝送路名称変更を実行する（Ｓ１５９）。伝送路名称変更の実行が完了すると、対向装置２０は自装置１０に伝送路名称変更のＮＢを供給する（Ｓ１６０）。このとき自装置１０に供給されるＫ１バイトは「００００００００」であり、Ｋ２バイトは「００１０００００」である（ＡＰＳ−２５６）。自装置１０は、対向装置２０からＮＢを含むフレームを連続して３フレーム受信すると、伝送路名称変更を実行する（Ｓ１６１）。
【００７０】
なお、対向装置２０においてＩＰルーティング・プロトコルによる予備系選択指示がなされた場合には、上述した自装置１０と対向装置２０が入れ代わるだけであるので、その説明は省略する。
【００７１】
図１６は、０系現用における自装置１０及び対向装置２０において、同時にＩＰルーティング・プロトコルによる予備系選択指示がなされた場合のシーケンスを示している。先ず、自装置１０から対向装置２０にＮＢが供給される（Ｓ１７１）。このとき対向装置２０に供給されるＫ１バイトは「００００００００」であり、Ｋ２バイトは「０００１００００」である（ＡＰＳ−２６１）。対向装置２０は、自装置１０からＮＢを含むフレームを連続して３フレーム受信すると、それに対応したＮＢを自装置１０に供給する（Ｓ１７２）。このとき自装置１０に供給されるＫ１バイトは「００００００００」であり、Ｋ２バイトは「０００１００００」である（ＡＰＳ−２６２）。
【００７２】
次に、ＩＰ装置５０から供給されるＩＰルーティング・プロトコルによって１系選択制御を行うことが自装置１０及び対向装置２０内で判断される（Ｓ１７３、Ｓ１７４）。自装置１０から対向装置２０に、また、対向装置２０から自装置１０にＲＳが供給される（Ｓ１７５、Ｓ１７６）。このとき各装置に供給されるＫ１バイトは「０１０００００１」であり、Ｋ２バイトは「０００１０００」である（ＡＰＳ−２６３、ＡＰＳ−２６４）。自装置１０及び対向装置２０は、ＲＳを含むフレームを連続して３フレーム受信すると、経路を現用系から予備系に選択切替する（Ｓ１７７、Ｓ１７８）。予備系への選択切替の実行が完了すると、自装置１０は対向装置２０に、また、対向装置２０は自装置１０にＲＲを供給する（Ｓ１７９、Ｓ１８０）。このとき各装置に供給されるＫ１バイトは「００１００００１」であり、Ｋ２バイトは「０００１００００」である（ＡＰＳ−２６５、ＡＰＳ−２６６）。なお、自装置１０がＲＳを受信してから対向装置２０にＲＲを供給するまでの期間、及び、対向装置２０がＲＳを受信してから自装置１０にＲＲを供給するまでの期間は、送出待機保護時間（Ｔｓｗ）である。
【００７３】
自装置１０及び対向装置２０は、ＲＲを含むフレームを連続して３フレーム受信すると、対向する装置に（すなわち、自装置１０が対向装置２０に、対向装置２０が自装置１０に）伝送路名称変更のＮＢを供給する（Ｓ１８１、Ｓ１８２）。従って、図１６のＳ１８１及びＳ１８２においてはＮＢ（１）と示されている。このとき各装置に供給されるＫ１バイトは「００００００００」であり、Ｋ２バイトは「００１０００００」である（ＡＰＳ−２６７、ＡＰＳ−２６８）。自装置１０及び対向装置２０は、ＮＢを含むフレームを連続して３フレーム受信すると、伝送路名称変更を実行する（Ｓ１８３、Ｓ１８４）。
【００７４】
図１７は、０系現用における自装置１０においてＩＰルーティング・プロトコルに基づく切替中に、対向装置２０において予備系故障が検出された場合のシーケンスを示している。
【００７５】
先ず、自装置１０から対向装置２０にＮＢが供給される（Ｓ１９１）。このとき対向装置２０に供給されるＫ１バイトは「００００００００」であり、Ｋ２バイトは「０００１００００」である（ＡＰＳ−２７１）。
【００７６】
対向装置２０は、自装置１０からＮＢを含むフレームを連続して３フレーム受信すると、それに対応したＮＢを自装置１０に供給する（Ｓ１９２）。このとき自装置１０に供給されるＫ１バイトは「００００００００」であり、Ｋ２バイトは「０００１００００」である（ＡＰＳ−２７２）。
【００７７】
次に、ＩＰ装置５０から供給されるＩＰルーティング・プロトコルによって１系選択制御を行うことが自装置１０内で判断される（Ｓ１９３）。更に、自装置１０から対向装置２０にＲＳが供給される（Ｓ１９４）。このとき対向装置２０に供給されるＫ１バイトは「０１０００００１」であり、Ｋ２バイトは「０００１００００」である（ＡＰＳ−２７３）。
【００７８】
対向装置２０は、自装置１０からＲＳを含むフレームを連続して３フレーム受信すると、経路を現用系から予備系に選択切替する（Ｓ１９５）。予備系への選択切替の実行が完了すると、対向装置２０は自装置１０にＲＲを供給する（Ｓ１９６）。このとき自装置１０に供給されるＫ１バイトは「００１００００１」であり、Ｋ２バイトは「０００１００００」である（ＡＰＳ−２７４）。自装置１０は、対向装置２０からＲＲを含むフレームを連続して３フレーム受信すると、経路を現用系から予備系に選択切替する（Ｓ１９７）。
【００７９】
その後、自装置１０から対向装置２０に伝送路名称変更のＮＢを供給する前に、対向装置２０において、予備系ＳＦ故障が検出される（Ｓ１９８）。対向装置２０は、予備系ＳＦ故障が発生した旨を自装置１０に通知する（Ｓ１９９）。このとき自装置１０に供給されるＫ１バイトは「００１００００１」であり、Ｋ２バイトは「０００１０１１０」である（ＡＰＳ−２７５）。その後、対向装置２０は１系から０系に経路の切戻しを行う（Ｓ２００）。更に、対向装置２０は、自装置１０に切戻しのＮＢを供給する（Ｓ２０１）。このとき自装置１０に供給されるＫ１バイトは「００００００００」であり、Ｋ２バイトは「０００１０１１０」である（ＡＰＳ−２７６）。なお、対向装置２０におけるＳＦ故障の検出（Ｓ１９８）から切戻しのＮＢ供給（Ｓ２０１）までの期間は切替要求保護時間（Ｔｄｇ）である。
【００８０】
自装置１０は、対向装置２０からＮＢを含むフレームを連続して３フレーム受信すると、１系から０系への経路の切戻しを実行する（Ｓ２０２）。自装置１０は、経路の切戻しを実行すると、対向装置２０に経路の切戻しを実行した旨のＮＢを供給する（Ｓ２０３）。このとき対向装置２０に供給されるＫ１バイトは「００００００００」であり、Ｋ２バイトは「０００１００００」である（ＡＰＳ−２７７）。
【００８１】
その後、対向装置２０において、予備系故障の回復が検出される（Ｓ２０４）。対向装置２０は、予備系故障の回復を検出すると、自装置１０に予備系故障回復を検出した旨のＮＢを供給する（Ｓ２０５）。このとき自装置１０に供給されるＫ１バイトは「００００００００」であり、Ｋ２バイトは「０００１００００」である（ＡＰＳ−２７８）。  自装置１０は、ＮＢを含むフレームを連続して３フレーム受信すると、これに応答するＮＢを対向装置２０に供給する（Ｓ２０６）。
【００８２】
図１８は、０系現用における自装置１０のＩＰルーティング・プロトコルに基づく切替中に、自装置１０において強制切替を行うことが判断された場合のシーケンスを示している。
【００８３】
先ず、自装置１０から対向装置２０にＮＢが供給される（Ｓ２１１）。このとき対向装置２０に供給されるＫ１バイトは「００００００００」であり、Ｋ２バイトは「０００１００００」である（ＡＰＳ−２８１）。
【００８４】
対向装置２０は、自装置１０からＮＢを含むフレームを連続して３フレーム受信すると、それに対応したＮＢを自装置１０に供給する（Ｓ２１２）。このとき自装置１０に供給されるＫ１バイトは「００００００００」であり、Ｋ２バイトは「０００１００００」である（ＡＰＳ−２８２）。
【００８５】
次に、ＩＰ装置５０から供給されるＩＰルーティング・プロトコルによって１系選択制御を行うことが自装置１０内で判断される（Ｓ２１３）。更に、自装置１０から対向装置２０にＲＳが供給される（Ｓ２１４）。このとき対向装置２０に供給されるＫ１バイトは「０１０００００１」であり、Ｋ２バイトは「０００１００００」である（ＡＰＳ−２８３）。
【００８６】
対向装置２０は、自装置１０からＲＳを含むフレームを連続して３フレーム受信すると、経路を現用系から予備系に選択切替する（Ｓ２１５）。予備系への選択切替の実行が完了すると、対向装置２０は自装置１０にＲＲを供給する（Ｓ２１６）。このとき自装置１０に供給されるＫ１バイトは「００１００００１」であり、Ｋ２バイトは「０００１００００」である（ＡＰＳ−２８４）。自装置１０は、対向装置２０からＲＲを含むフレームを連続して３フレーム受信すると、経路を現用系から予備系に選択切替する（Ｓ２１７）。
【００８７】
その後、自装置１０から対向装置２０に伝送路名称変更のＮＢを供給する前に、自装置１０において、１系に強制切替を行うことが判断される（Ｓ２１８）。ここで、強制切替は経路切替よりも優先順位が高い（図１４（ｂ）参照）。このため、自装置１０は強制切替のコマンドに応じ、１系への強制切替信号（以下、ＦＳとも称する）を対向装置２０に供給する（Ｓ２１９）。このとき対向装置２０に供給されるＫ１バイトは「１１１００００１」であり、Ｋ２バイトは「０００１００００」である（ＡＰＳ−２８５）。対向装置２０は、ＦＳを含むフレームを連続して３フレーム受信すると、かかる強制切替に対応したことを表すＲＲを自装置１０に供給する（Ｓ２２０）。
【００８８】
その後、自装置１０において、１系に強制切替を解除する判断が行われる（Ｓ２２１）。更に、自装置１０は、対向装置２０に伝送路名称変更のＮＢを供給する（Ｓ２２２）。従って、図１８のＳ２２２においてはＮＢ（１）と示されている。このとき対向装置２０に供給されるＫ１バイトは「００００００００」であり、Ｋ２バイトは「００１０００００」である（ＡＰＳ−２８６）。
【００８９】
対向装置２０は、自装置１０からＮＢを含むフレームを連続して３フレーム受信すると、伝送路名称変更を実行する（Ｓ２２３）。伝送路名称変更の実行が完了すると、対向装置２０は自装置１０に伝送路名称変更のＮＢを供給する（Ｓ２２４）。このとき自装置１０に供給されるＫ１バイトは「００００００００」であり、Ｋ２バイトは「００１０００００」である（ＡＰＳ−２８７）。自装置１０は、対向装置２０からＮＢを含むフレームを連続して３フレーム受信すると、伝送路名称変更を実行する（Ｓ２２５）。
【００９０】
図１９は、０系現用における自装置１０のＩＰルーティング・プロトコルに基づく切替中に、自装置１０において現用系ＳＦ故障が検出された場合のシーケンスを示している。
【００９１】
先ず、自装置１０から対向装置２０にＮＢが供給される（Ｓ２３１）。このとき対向装置２０に供給されるＫ１バイトは「００００００００」であり、Ｋ２バイトは「０００１００００」である（ＡＰＳ−２９１）。
【００９２】
対向装置２０は、自装置１０からＮＢを含むフレームを連続して３フレーム受信すると、それに対応したＮＢを自装置１０に供給する（Ｓ２３２）。このとき自装置１０に供給されるＫ１バイトは「００００００００」であり、Ｋ２バイトは「０００１００００」である（ＡＰＳ−２９２）。
【００９３】
次に、ＩＰ装置５０から供給されるＩＰルーティング・プロトコルによって１系選択制御を行うことが自装置１０内で判断される（Ｓ２３３）。更に、自装置１０から対向装置２０にＲＳが供給される（Ｓ２３４）。このとき対向装置２０に供給されるＫ１バイトは「０１０００００１」であり、Ｋ２バイトは「０００１００００」である（ＡＰＳ−２９３）。
【００９４】
対向装置２０は、自装置１０からＲＳを含むフレームを連続して３フレーム受信すると、経路を現用系から予備系に選択切替する（Ｓ２３５）。予備系への選択切替の実行が完了すると、対向装置２０は自装置１０にＲＲを供給する（Ｓ２３６）。このとき自装置１０に供給されるＫ１バイトは「００１００００１」であり、Ｋ２バイトは「０００１００００」である（ＡＰＳ−２９４）。自装置１０は、対向装置２０からＲＲを含むフレームを連続して３フレーム受信すると、経路を現用系から予備系に選択切替する（Ｓ２３７）。
【００９５】
その後、自装置１０から対向装置２０に伝送路名称変更のＮＢを供給する前に、自装置１０において、現用系ＳＦ故障が検出される（Ｓ２３８）。自装置１０は、現用系ＳＦ故障が発生した旨を対向装置２０に通知する（Ｓ２３９）。このとき対向装置２０に供給されるＫ１バイトは「１１０００００１」であり、Ｋ２バイトは「０００１００００」である（ＡＰＳ−２９５）。なお、自装置１０におけるＳＦ故障の検出（Ｓ２３８）から、自装置１０から対向装置２０にＳＦが供給（Ｓ２３９）までの期間は、切替要求保護時間（Ｔｄｇ）である。対向装置２０は、ＳＦを含むフレームを連続して３フレーム受信すると、かかる故障に係る切替に対応したことを表すＲＲを自装置１０に供給する（Ｓ２４０）。
【００９６】
次に、自装置１０において、現用系ＳＦ故障の回復が検出される（Ｓ２４１）。自装置１０は、かかる故障回復を検出すると、対向装置２０にＷＲ（回復待機）を表す信号（以下、単にＷＲとも称する）を供給する（Ｓ２４２）。このとき対向装置２０に供給されるＫ１バイトは「０１１００００１」であり、Ｋ２バイトは「０００１００００」である（ＡＰＳ−２９６）。なお、自装置１０における故障回復検出（Ｓ２４１）からＷＲの供給（Ｓ２４２）までの期間は、回復確認保護時間（Ｔｒｇ）である。
【００９７】
更に、自装置１０は、対向装置２０に伝送路名称変更のＮＢを供給する（Ｓ２４３）。従って、図１９のＳ２４２においてはＮＢ（１）と示されている。このとき対向装置２０に供給されるＫ１バイトは「００００００００」であり、Ｋ２バイトは「００１０００００」である（ＡＰＳ−２９７）。なお、自装置１０におけるＷＲ送出（Ｓ２４２）からＮＢ送出（Ｓ２４３）までの期間は、回復待機保護時間（Ｔｗｔ）である。
【００９８】
対向装置２０は、自装置１０からＮＢを含むフレームを連続して３フレーム受信すると、伝送路名称変更を実行する（Ｓ２４４）。伝送路名称変更の実行が完了すると、対向装置２０は自装置１０に伝送路名称変更のＮＢを供給する（Ｓ２４５）。このとき自装置１０に供給されるＫ１バイトは「００００００００」であり、Ｋ２バイトは「００１０００００」である（ＡＰＳ−２９８）。自装置１０は、対向装置２０からＮＢを含むフレームを連続して３フレーム受信すると、伝送路名称変更を実行する（Ｓ２４６）。
【００９９】
なお、Ｓ２３８で検出される故障がＳＤ故障の場合には、ＳＦがＳＤに変更されるだけで、その他の部分は同一のシーケンスとなる。
【０１００】
図２０は、０系現用における自装置１０のＩＰルーティング・プロトコルに基づく切替中に、対向装置２０において現用系ＳＤ故障を検出した場合のシーケンスを示している。
【０１０１】
先ず、自装置１０から対向装置２０にＮＢが供給される（Ｓ２５１）。このとき対向装置２０に供給されるＫ１バイトは「００００００００」であり、Ｋ２バイトは「０００１００００」である（ＡＰＳ−３０１）。
【０１０２】
対向装置２０は、自装置１０からＮＢを含むフレームを連続して３フレーム受信すると、それに対応したＮＢを自装置１０に供給する（Ｓ２５２）。このとき自装置１０に供給されるＫ１バイトは「００００００００」であり、Ｋ２バイトは「０００１００００」である（ＡＰＳ−３０２）。
【０１０３】
次に、ＩＰ装置５０から供給されるＩＰルーティング・プロトコルによって１系選択制御を行うことが自装置１０内で判断される（Ｓ２５３）。更に、自装置１０から対向装置２０にＲＳが供給される（Ｓ２５４）。このとき対向装置２０に供給されるＫ１バイトは「０１０００００１」であり、Ｋ２バイトは「０００１００００」である（ＡＰＳ−３０３）。
【０１０４】
対向装置２０は、自装置１０からＲＳを含むフレームを連続して３フレーム受信すると、経路を現用系から予備系に選択切替する（Ｓ２５５）。予備系への選択切替の実行が完了すると、対向装置２０は自装置１０にＲＲを供給する（Ｓ２５６）。このとき自装置１０に供給されるＫ１バイトは「００１００００１」であり、Ｋ２バイトは「０００１００００」である（ＡＰＳ−３０４）。自装置１０は、対向装置２０からＲＲを含むフレームを連続して３フレーム受信すると、経路を現用系から予備系に選択切替する（Ｓ２５７）。
【０１０５】
その後、自装置１０から対向装置２０に伝送路名称変更のＮＢを供給する前に、対向装置２０において、現用系ＳＤ故障が検出される（Ｓ２５８）。対向装置２０は、現用系ＳＤ故障が発生した旨を自装置１０に通知する（Ｓ２５９）。このとき自装置１０に供給されるＫ１バイトは「１０１００００１」であり、Ｋ２バイトは「０００１００００」である（ＡＰＳ−３０５）。なお、対向装置２０におけるＳＤ故障の検出（Ｓ２５８）から、対向装置２０から自装置１０にＳＤが供給（Ｓ２５９）までの期間は、切替要求保護時間（Ｔｄｇ）である。自装置１０は、ＳＤを含むフレームを連続して３フレーム受信すると、かかる故障に係る切替に対応したことを表すＲＲを対向装置２０に供給する（Ｓ２６０）。このとき対向装置２０に供給されるＫ１バイトは「００１００００１」であり、Ｋ２バイトは「０００１００００」である（ＡＰＳ−３０６）。
【０１０６】
次に、対向装置２０において、現用系ＳＤ故障の回復が検出される（Ｓ２６１）。対向装置２０は、かかる故障回復を検出すると、自装置１０にＷＲを供給する（Ｓ２６２）。このとき自装置１０に供給されるＫ１バイトは「０１１００００１」であり、Ｋ２バイトは「０００１００００」である（ＡＰＳ−３０７）。なお、対向装置２０における故障回復検出（Ｓ２６１）からＷＲの供給（Ｓ２６２）までの期間は、回復確認保護時間（Ｔｒｇ）である。
【０１０７】
更に、対向装置２０は、自装置１０に伝送路名称変更のＮＢを供給する（Ｓ２６３）。従って、図２０のＳ２６３においては、ＮＢ（１）と示されている。このとき自装置１０に供給されるＫ１バイトは「００００００００」であり、Ｋ２バイトは「００１０００００」である（ＡＰＳ−３０８）。なお、対向装置２０におけるＷＲ送出（Ｓ２６２）からＮＢ送出（Ｓ２６３）までの期間は、回復待機保護時間（Ｔｗｔ）である。
【０１０８】
自装置１０は、対向装置２０からＮＢを含むフレームを連続して３フレーム受信すると、伝送路名称変更を実行する（Ｓ２６４）。伝送路名称変更の実行が完了すると、自装置１０は対向装置２０に伝送路名称変更のＮＢを供給する（Ｓ２６５）。このとき対向装置２０に供給されるＫ１バイトは「００００００００」であり、Ｋ２バイトは「００１０００００」である（ＡＰＳ−３０９）。対向装置２０は、自装置１０からＮＢを含むフレームを連続して３フレーム受信すると、伝送路名称変更を実行する（Ｓ２６６）。
【０１０９】
なお、Ｓ２５８で検出される故障がＳＦ故障の場合には、ＳＤがＳＦに変更されるだけで、その他の部分は同一のシーケンスとなる。
【０１１０】
以上のように、本発明の伝送装置であるＳＤＨ装置は、本発明の伝送装置は、現用系及び予備系からなるＳＤＨ伝送路を介して対向装置に接続され、ＩＰ伝送路を介してＩＰ装置に接続されるとともに、現用系と予備系との間の強制切替及びＳＤＨ伝送路における伝送路故障情報を検出する制御装置に接続された伝送装置であって、対向装置からＳＤＨフレームを受信してセクションオーバヘッド（ＳＯＨ）処理をなすフレーム処理部と、ＳＤＨフレームからＩＰパケットを抽出してＩＰ装置に送出するＩＰパケット抽出部と、ＩＰ装置からＩＰパケットを受信してＳＤＨフレームに挿入するとともに、当該受信ＩＰパケットからＩＰルーティング・プロトコル・パケットを抽出するＩＰパケット挿入部と、ＩＰルーティング・プロトコル・パケットに基づいてＳＤＨ伝送路の経路情報の更新をすべきか否かの判定をなすルーティング情報判定部と、強制切替の情報、伝送路故障情報、フレーム処理部のＳＯＨ処理の情報及び経路情報の更新判定の情報に基づいて現用系及び予備系のいずれかを選択することを表わす選択情報を生成する切替処理部と、ＩＰパケット挿入部から供給されるＳＤＨフレームに選択情報を挿入する選択情報挿入部と、ＳＤＨフレームを対向装置に送信するフレーム送信部と、を有している。
【０１１１】
上述した構成によって本発明のＳＤＨ装置は、０系／１系の両系のＳＤＨ伝送路の伝送距離、並びに、自装置と対向装置との間に配置された光中継装置の処理効率及びその台数が設定されたメトリック値を含むＩＰルーティング・プロトコルに基づき経路選択の判定をすることができる。これによって、本発明のＳＤＨ装置は、ＳＤＨ伝送路自体の遅延等による問題に対応することができ、効率の良い且つ信頼性の高いフレーム伝送を行うことができる。
【０１１２】
また、上述した構成によって本発明の伝送装置は、ＳＤＨ伝送路（ＯＳＩ参照モデルの物理層（レイヤ１））に対してだけでなく、ネットワーク層（レイヤ３）のＩＰパケットに対しても冗長系の構造を取ることができる。これによって、本発明のＳＤＨ装置は、ＩＰパケットに対しても冗長系の構成を取ることができ、効率の良い且つ信頼性の高いＩＰパケット伝送を行うことができる。
【０１１３】
なお、本実施例においては１＋１冗長系のＡＰＳ切替を使用していが、１：Ｎ冗長系のＡＰＳ切替を使用する構成としても良い。また、本実施例においては、故障回復等の後に切戻しを行わない設定であったが、切戻しを行う切戻し型切替であっても良い。更に、本実施例においては、ＩＰルーティング・プロトコルによる予備系選択の切替要求（ＲＳ）をＫ１バイト（ｂ１〜ｂ４）に追加したが、他のＫ１バイト（ｂ５〜ｂ８）又はＫ２バイト、更にはＳＯＨ、ＰＯＨの他のバイトに同等の機能を持たせても良い。
【実施例２】
【０１１４】
第２の実施例のＳＤＨ装置１１ａは、受信したＡＰＳバイトから判定した伝送路状態並びに装置内で検出した伝送路故障及び強制コマンドを反映してＩＰルーティング・プロトコル・パケットを修正し、更に、ＩＰルーティングによる経路情報（ルーティング・テーブル）の収束を速めることができる構成を採用している。かかる構成について、図２１を参照しつつ説明する。図２１は、第２の実施例であるＳＤＨ装置１１ａの構成図である。なお、第１の実施例と同一部分については、同一符号を付し、その説明を省略する。
【０１１５】
図２１に示されているように、パス処理部５４はＩＰパケット抽出部２０１に接続されている。ＩＰパケット抽出部２０１は、Ｌ３ＳＷ１１ｂ及びルーティング情報修正部２０３に接続されている。ルーティング情報修正部２０３は、ＡＰＳ切替処理部２０２の内部に設けられた伝送路状態判定部２０２ａに接続されている。
【０１１６】
ＩＰパケット抽出部２０１は、パス処理部５４から供給されるＳＤＨフレーム内のＩＰパケットを抽出する。また、ＩＰパケット抽出部２０１は、ＩＰパケット抽出部５５と同様の方法により、ＩＰパケットをＩＰルーティング・プロトコル・パケットと、それ以外のパケットとに分類する。ＩＰパケット抽出部２０１は、ＳＤＨ装置１１ａがＡＣＴ系である場合（すなわち、自系がＡＣＴ系の場合）に、ＩＰルーティング・プロトコル・パケット以外のパケットを供給するが、ＳＤＨ装置１１ａがＳＢＹ系の場合（すなわち、他系がＡＣＴ系の場合）に、ＩＰルーティング・プロトコル・パケット以外のパケットをＬ３ＳＷ１１ｂに供給しない（廃棄する）。
【０１１７】
ＩＰパケット抽出部２０１は、ＳＤＨ伝送路３０における０系装置群１１の伝送路距離、０系装置群１１と０系装置群２１との間に存在する光中継装置の処理効率（処理速度）や光中継装置の台数等を考慮し、実装するＩＰルーティング・プロトコルのメトリック値を設定する。更に、ＩＰパケット抽出部２０１は、メトリック値の設定されたＩＰルーティング・プロトコル・パケットを、ルーティング情報修正部に供給する。ＩＰパケット抽出部２０１は、ルーティング情報修正部２０３から供給される修正されたＩＰルーティング・プロトコル・パケットを、Ｌ３ＳＷ１１ｂに供給する。なお、かかる供給は、ＳＤＨ装置１１ａがＡＣＴ系又はＳＢＹ系のいずれであっても行われる。これにより、Ｌ３ＳＷ１１ｂは、ＩＰルーティング・プロトコル・パケットをＡＣＴ系及びＳＢＹ系の両系から取得することができ、より正確な経路情報の判定をすることができる。
【０１１８】
伝送路状態判定部２０２ａは、対向する装置から供給される伝送路故障情報又は強制切替要求、自装置内で検出された伝送路故障情報、制御装置からの強制切替コマンドの指示情報をＡＰＳ切替処理部２０２から供給される。伝送路状態判定部２０２ａは、これらの指示情報に基いて、実装するＩＰルーティング・プロトコル・パケットのメトリック値及びＨｅｌｌｏｗパケット等の正常な動作状態にあるか否かの確認情報の制御を行う。更に、伝送路状態判定部２０２ａは、かかる制御を示す信号をルーティング情報修正部２０３に供給する。かかる制御の具体的な例を以下に示す。
【０１１９】
ＩＰルーティング・プロトコルがルーティング・インフォメーション・プロトコル（ＲＩＰ：Routing Information Protocol）の場合には、ＳＤＨ装置１１ａ又は対向するＳＤＨ装置において自系の伝送路故障が検出されると、伝送路状態判定部２０２ａはメトリック値を到達不能と判断される１６以上に設定するように指示する。また、伝送路状態判定部２０２ａにＳＤＨ装置１１ａで発生した強制切替コマンド及び対向する装置からの強制切替要求の指示情報が供給されると、伝送路状態判定部２０２ａは自系ルートの優先度を下げるために、メトリック値を大きな値（１５以下）に設定するように指示する。
【０１２０】
ＩＰルーティング・プロトコルがオープン・ショーテスト・パス・ファースト（ＯＳＰＦ：Open Shortest Path First）の場合には、ＳＤＨ装置１１ａ又は対向するＳＤＨ装置において自系の伝送路故障が検出されると、伝送路状態判定部２０２ａはＨｅｌｌｏｗパケットの供給停止（すなわち、Ｈｅｌｌｏｗパケットの廃棄）を指示する。また、伝送路状態判定部２０２ａにＳＤＨ装置１１ａで発生した強制切替コマンド及び対向する装置からの強制切替要求の指示情報が供給されると、伝送路状態判定部２０２ａは自系ルートの優先度を下げるために、メトリック値を大きな値に設定するように指示する。
【０１２１】
ＩＰルーティング・プロトコルがエクステリア・ゲートウェイ・プロトコル（ＥＧＰ：Exterior Gateway Protocol）の場合には、ＳＤＨ装置１１ａ又は対向するＳＤＨ装置において自系の伝送路故障が検出されると、伝送路状態判定部２０２ａはＨｅｌｌｏｗパケットの供給停止（すなわち、Ｈｅｌｌｏｗパケットの廃棄）を指示する。更に、伝送路状態判定部２０２ａはメトリック値を到達不能と判断される２５５以上にも設定するように指示する。また、伝送路状態判定部２０２ａにＳＤＨ装置１１ａで発生した強制切替コマンド及び対向する装置からの強制切替要求の指示情報が供給されると、伝送路状態判定部２０２ａは自系ルートの優先度を下げるために、メトリック値を大きな値（２５４以下）に設定するように指示する。
【０１２２】
ＩＰルーティング・プロトコルがボーダ・ゲートウェイ・プロトコル（ＢＧＰ：Border Gateway Protocol）である場合には、ＳＤＨ装置１１ａ又は対向するＳＤＨ装置において自系の伝送路故障が検出されると、伝送路状態判定部２０２ａはＫｅｅｐＡｌｉｖｅメッセージの供給停止（すなわち、ＫｅｅｐＡｌｉｖｅメッセージの廃棄）を指示する。また、伝送路状態判定部２０２ａにＳＤＨ装置１１ａで発生した強制切替コマンド及び対向する装置からの強制切替要求の指示情報が供給されると、伝送路状態判定部２０２ａは自系ルートの優先度を下げるために、メトリック値を大きな値に設定するように指示する。
【０１２３】
ルーティング情報修正部２０３は、伝送路状態判定部２０２ａから供給されるメトリック値の変更指示の信号又はパケット等の廃棄指示の信号に応じて、ＩＰルーティング・プロトコル・パケットの情報等の修正及び廃棄等を行う。また、ルーティング情報修正部２０３は、修正したＩＰルーティング・プロトコル・パケットをＩＰパケット抽出部２０１に供給する。
【０１２４】
ＡＰＳ切替処理部２０２は、伝送路状態判定部２０２ａを有していること、及び、伝送路状態判定部２０２ａに情報を供給することがＡＰＳ切替処理部５７と異なる点であるので、その説明は省略する。
【０１２５】
このような構成によって、受信したＡＰＳバイトから判定した伝送路状態並びに装置内で検出した伝送路故障及び強制コマンドを反映してＩＰルーティング・プロトコル・パケットを修正することができるので、ＩＰルーティングによる経路情報の収束を速めることができる。
【符号の説明】
【０１２６】
１０  自装置
１１  ０系装置群
１１ａ  ＳＤＨ装置
１１ｂ  Ｌ３ＳＷ
１１ｃ  ＩＰ装置
１２  １系装置群
１３  制御装置
２０  対向装置
３０  ＳＤＨ伝送路
４０  ＩＰ伝送路
５０  ＩＰ装置
５５  ＩＰパケット抽出部
５６  Ｋ１／Ｋ２抽出部
５７  ＡＰＳ切替処理部
５７ａ  ＲＳ切替判定部
５８  ＩＰパケット挿入部
５９  ルーティング情報判定部
６１  Ｋ１／Ｋ２生成部
【図１】
2010226582.tif 000003
【図２】
2010226582.tif 000004
【図３】
2010226582.tif 000005
【図４】
2010226582.tif 000006
【図５】
2010226582.tif 000007
【図６】
2010226582.tif 000008
【図７】
2010226582.tif 000009
【図８】
2010226582.tif 000010
【図９】
2010226582.tif 000011
【図１０】
2010226582.tif 000012
【図１１】
2010226582.tif 000013
【図１２】
2010226582.tif 000014
【図１３】
2010226582.tif 000015
【図１４】
2010226582.tif 000016
【図１５】
2010226582.tif 000017
【図１６】
2010226582.tif 000018
【図１７】
2010226582.tif 000019
【図１８】
2010226582.tif 000020
【図１９】
2010226582.tif 000021
【図２０】
2010226582.tif 000022
【図２１】
2010226582.tif 000023